(57)【要約】【課題】同時露光像の一方に対して、写真として印刷されないという指定を付与する。【解決手段】同一被写体の広角画像と望遠画像とを同時に作成するための広角撮像レンズ３２と望遠撮像レンズ３４とを備え、広角と望遠の同時露光像をカメラの単一フレーム上に作成するカメラ。撮像レンズ３２、３４とフィルムのフレームの間で動作するように広角／望遠選択指示器６６を支持し、広角画像または望遠画像の一方がフィルムのフレームに完全に露光されることを防ぐことで、同時露光像の一方に対して、写真として印刷されないという指定を付与する。【選択図】　　　　図１
2004029793.tif 000002
【特許請求の範囲】
【請求項１】
同一被写体の同時画像であって、被写体の異なる領域を対象として含む同時画像を形成するための複数の撮像レンズを備えるカメラであって、
被写体の一領域のみが写真に挿入されることを指定する選択指示器を、前記レンズを基準として動作するように支持し、フィルム上への完全な露光を１個の画像のみに許可することで、フィルム上に完全に露光される１個の画像が、写真に挿入される被写体領域の画像になるようにすることを特徴とするカメラ。
【請求項２】
請求項１に記載のカメラであって、前記撮像レンズが、短い焦点距離と長い焦点距離とを持ち、被写体の異なる領域を対象とすることを特徴とするカメラ。
【請求項３】
同一被写体の同時画像であって、被写体の異なる領域を対象として含む同時画像を形成するための複数の撮像レンズを備えたカメラであって、被写体の一領域のみが写真に挿入されることを指定する選択指示手段を有することを特徴とするカメラ。
【発明の詳細な説明】
【０００１】
【発明の属する技術分野】
本発明は、写真用カメラに関し、特に、同一被写体の同時画像（ｓｉｍｕｌｔａｎｅｏｕｓ　ｉｍａｇｅｓ）であって、被写体の異なる領域（ａｒｅａ）を対象として含む同時画像を形成するための複数の撮像レンズを備えるカメラに関する。
【０００２】
【従来の技術】
同一被写体の同時画像であって、被写体の異なる領域を対象として含む同時画像を形成するための複数の撮像レンズを備えたカメラは既に周知である。従来技術としては、１９９５年３月２１日に発行された米国特許第５，４００，０９７号に、同一被写体の広角画像と望遠画像とを同時に形成するための広角撮像レンズと望遠撮像レンズを備え、フィルムの単一フレームに広角および望遠の同時露光像を作成するカメラが開示されている。この露光像はいずれも、写真として印刷されることを目的としたものである。
【０００３】
【特許文献１】
米国特許第５，４００，０９７号明細書
【０００４】
【発明が解決しようとする課題】
しかし、場合によっては、露光した２つの画像のうち、いずれか一方のみを写真として印刷したい場合がある。このような場合、このカメラでは、いずれを写真として印刷すべきかが分からない。
【０００５】
そこで、本発明では、写真として印刷したい画像が分かる同時画像を形成するための複数の撮像レンズ群レンズを備えたカメラを提供することを目的とする。
【０００６】
【課題を解決するための手段】
概して、同一被写体の同時画像であって、被写体の異なる領域を対象として含む同時画像を形成するための複数の撮像レンズを備えたカメラは、次の特徴を有する。被写体の一領域のみが写真に挿入されるものであることを指定する選択指示器を、前記レンズを基準として動作するように支持し、フィルム上への完全な露光を１個の画像のみに許可することで、フィルム上に完全に露光される１個の画像が、写真に挿入される被写体領域の画像になるようにする。
【０００７】
また、同一被写体の広角画像と望遠画像とを同時に形成するための広角撮像レンズと望遠撮像レンズとを備え、フィルムの単一フレーム上に広角および望遠の同時露光像を形成するカメラは、次の特徴を有する。撮像レンズとフィルムのフレームの間で動作するように広角と望遠の選択指示器を支持し、フィルムのフレーム上への広角画像または望遠画像のいずれか一方の完全露光を防ぐことで、同時露光像の一方に対して、写真として印刷されないものであるという指定を付与する。
【０００８】
【発明の実施の形態】
以下、本発明の実施の形態について説明する。実施の形態は、使い捨ての１回限定使用カメラにおいて好ましく実施されるように開示する。１回限定使用カメラユニットの特性は広く知られているため、下記では、特に、開示した実施形態の一部を形成する構成要素、または開示した実施形態と直接関連して機能する構成要素のみを対象として説明する。ただし、他の要素が当業者に周知の各種の形態を採用してもよいことは、理解されるであろう。
【０００９】
図面を参照しながら説明する。図１に示す使い捨ての１回限定使用カメラ１０は、不透明のメインボディ部１２と、不透明の前面カバー部１４と、不透明の外側背面カバー部１６とを含む。前面カバー部１４および背面カバー部１６の間には、メインボディ部１２が収容されている。両方のカバー部１４、１６は、周知の穴架けフック式および他の結合部によって、もう一方のカバー部およびメインボディ部１２に対して取り外し可能に接続される。
【００１０】
メインボディ部１２は、従来の３５ｍｍフィルムパトローネ（図示せず）用の後方に開くパトローネ受け室１８と、回転式フィルム供給スプール（図示せず）上の未露光フィルムロール用の後方に開くフィルム供給室２０とを備える。カメラ１０の組み立て中に、図３に示すフィルムストリップ２２は、そのほぼ全てがフィルムパトローネ内の回転式フィルム巻き上げスプールからフィルム供給スプール上の未露光フィルムロールへと予め巻き取られる。図３に示すフィルムストリップ２２のハーフフレーム２８および３０の連続した１組を同時に露光するため、後方に開く隣接する１組の露光室２４および２６は、パトローネ受け室１８とフィルム供給室２０の間に配置される（図２参照）。露光は、メインボディ部１２に搭載された前面の固定焦点の撮像レンズ３２および３４からメインボディ部１２の露光アパーチャ３６および３８を通って環境光を受け取ったときに行われる。各組のハーフフレーム２８および３０は、それぞれ、２４ｍｍ×１８ｍｍのフレームで、両方合わせて２４ｍｍ×３６ｍｍの単一の完全フレームを構成する。
【００１１】
撮像レンズ３２は、焦点距離が比較的短い、たとえば、２３ｍｍの広角レンズで、撮像レンズ３４は、焦点距離が長い、たとえば、３６ｍｍの望遠レンズである。同様に、露光アパーチャ３６は、直径が露光アパーチャ３８より大きい開口部を持つ。撮像レンズ３２と３４は、同一被写体の広角画像４０と望遠画像４２とを同時に形成し、フィルムストリップ２２のハーフフレーム２８と３０の組に広角露光像４４と望遠露光像４６とを同時に作成する。図３に示すように、広角画像４０は、望遠画像４２よりも広い被写体領域を撮り込む。
【００１２】
図１に示すように、単羽根シャッタ４８は、メインボディ部１２において撮像レンズ３２、３４と、露光アパーチャ３６、３８との間に搭載される。この単羽根シャッタ４８は、露光開口を遮光するように覆う通常遮蔽位置からシャッタ内の比較的大きな穴５０と比較的小さな穴５２の位置が露光アパーチャ３６、３８の位置と一列になる一時的遮光解除位置に移動し、その後、遮蔽位置に戻る。これは、周知のタイプの高エネルギストライカ５４をメインボディ部１２に取り付けて、レバー５６を叩くようにする。メインボディ部に搭載されるレバー５６は、シャッタ４８に接続されており、メインボディ部１２のシャッタレリーズボタン５８を手動で押したときに、高エネルギストライカ５４がレバー５６を叩く。その場合、レバー５６が図１の時計回り方向に回転して、遮蔽位置から遮蔽解除位置にシャッタ４８を動かす。その後、レバー５６は、復元ばね６０によって図１の反時計回り方向に回転して、シャッタ４８を遮蔽解除位置から遮蔽位置に戻す。
【００１３】
周知のタイプのフィルム巻き上げ指動輪６２は、フィルムパトローネ内のフィルム巻き上げスプールと同軸に噛み合い、その端部が背面カバー部１６内の細長い開口部（図示せず）から部分的に突き出している。指動輪６２をフィルム巻き上げ方向、すなわち、図１の反時計回り方向に手動で廻すと、指動輪６２がフィルム巻き上げスプールを回転させる。この回転は、同時露光像４４および４６の作成後に、フィルムストリップ２２のハーフフレーム２８と３０の１組をフィルムパトローネ内に巻き取ると共に、フィルムストリップの未使用のハーフフレーム１組を未露光フィルムロールから露光室２４および２６に移載するための動作である（図２および図３を参照）。
【００１４】
素通しの光学式ビューファインダ６４をメインボディ部１２に組み込んで、写真に挿入する広角被写領域または望遠被写体領域を表示する。広角／望遠選択指示器６６をメインボディ部１２に搭載して、図２および図３に示す広角設定と図４および図５に示す望遠設定を手動で変更できるようにする。広角設定では、選択指示器６６の押しタブまたは指動タブ６８がメインボディ部１２の「Ｗ」の近くに位置し、マーカタブまたはかぶせタブ７０が、露光室２６内の望遠撮像レンズ３４とハーフフレーム３０の間に配置される。この配置は、望遠撮像レンズ３４によって形成される望遠画像４２がハーフフレーム３０上に完全に露光されることを防ぐ。つまり、マーカタブ７０は望遠露光像４６を部分的に覆い隠す（図２および図３を参照）。望遠露光像４６を部分的に覆い隠すのは、その像を写真の印刷に使用しないことを示すためである。望遠設定では、選択指示器６６の押しタブまたは指動タブ６８がメインボディ部１２の「Ｔ」の近くに位置する。また、マーカタブ７０が、露光室２４内の広角撮像レンズ３２とハーフフレーム２８の間に配置され、広角撮像レンズによって形成される広角画像４０がハーフフレーム２８上に完全に露光されるのを防ぐ。つまり、マーカタブ７０が広角露光像４４を部分的に覆い隠す（図４および図５を参照）。広角露光像４４を部分的に覆い隠すのは、その像を写真の印刷に使用しないことを示すためである。
【００１５】
選択指示器６６は、望遠視野レンズ７４を囲む不透明なマスクフレーム７２を備える。マスクフレーム７２および望遠視野レンズ７４は、選択指示器６６が望遠設定であるときにビューファインダ６４内に配置される。したがって、撮影者が、写真に挿入される被写体の広角領域を目視することはない（図１および図５を参照）。選択指示器６６が広角設定にあるとき、マスクフレーム７２および望遠視野レンズ７４は、ビューファインダ６４から取り除かれる（図３を参照）。
【００１６】
以上、説明したように本実施の形態は、同一被写体の広角画像と望遠画像を同時に形成するための広角撮像レンズと望遠撮像レンズとを備え、フィルムの単一フレーム上に広角と望遠の同時露光像を作成するカメラであって、前記撮像レンズを基準として動作するように広角と望遠の選択指示器を支持し、広角画像または望遠画像の一方がフィルム上に完全に露光されることを防ぐことで、同時露光像の１つに対して、写真として印刷されないという指定を付与することを特徴とする。
【００１７】
また、写真に挿入される被写体領域がビューファインダに表示されるカメラであって、広角と望遠の選択指示器がビューファインダ内を移動して、被写体の広角視野と被写体の望遠視野とを切り替えられることを特徴とする。
【００１８】
本実施の形態でのカメラは、広角レンズの焦点距離が２３ｍｍで、望遠レンズの焦点距離が３６ｍｍであるカメラである。また、フィルムの単一フレーム上の広角および望遠の同時露光像が、それぞれ、ハーフフレームの露光像であるカメラである。
【００１９】
本実施の形態のカメラは別の角度からみると、同一被写体の広角画像と望遠画像とを同時に形成するための広角撮像レンズと望遠撮像レンズとを備え、フィルムの単一フレーム上に広角と望遠の同時露光像を作成するカメラであって、広角画像または望遠画像の一方がフィルムのフレーム上に完全に露光されることを防ぐ手段を備えることで、１個の同時露光像に対して、写真として印刷されないという指定を付与することを特徴とするカメラである。
【００２０】
本実施の形態は、カメラについての方法であって、同一被写体の同時露光像であって、該被写体の異なる領域を対象として含む同時露光像を作成するステップと、同一被写体の露光像のいずれの１個を写真の印刷に使用するのかを指定するステップと、を含む方法でもある。
【００２１】
【発明の効果】
以上、説明したように本発明によれば、同時画像を形成するカメラにおいて、写真にしたい画像を選択し、選択された画像のみを完全に露光する。これにより写真として印刷したい画像が分かる。
【図面の簡単な説明】
【図１】同一被写体の広角露光像と望遠露光像とを同時に作成し、その２つの露光像のどちらを写真の印刷に使用するのかを指定する、本発明の好ましい実施形態に係るカメラの前面組み立て分解図である。
【図２】カメラの背面カバー部を部分的に切り取って、広角露光像と望遠露光像とを作成する個別の内部区画室と、望遠露光像を作成する区画室内の望遠と広角の選択指示器とを示したカメラ背面の立面図である。
【図３】広角露光像の潜像および望遠露光像の潜像と、望遠露光像の一部を覆っている選択指示器とを示した、図２と同様の背面の立面図である。
【図４】広角露光像を作成する区画室内の広角と望遠の選択指示器を示した、図２と同様のカメラ背面の立面図である。
【図５】広角露光像の潜像および望遠露光像の潜像と、広角露光像の一部を覆っている選択指示器とを示した、図４と同様の背面の立面図である。
【符号の説明】
１０　カメラ、１２　メインボディ部、１４　前面カバー部、１６　背面カバー部、１８　パトローネ受け室、２０　フィルム供給室、２２　フィルムストリップ、２４　露光室、２６　露光室、２８　ハーフフレーム、３０　ハーフフレーム、３２　広角撮像レンズ、３４　望遠撮像レンズ、３６　露光アパーチャ、３８　露光アパーチャ、４０　広角画像、４２　望遠画像、４４　広角露光像、４６　望遠露光像、４８　シャッタ、５０　大開口穴、５２　小開口穴、５４　高エネルギストライカ、５６　レバー、５８　シャッタレリーズボタン、６０　復元ばね、６２　フィルム巻き上げ指動輪、６４　ビューファインダ、６６　広角／望遠選択指示器、６８　押しタブ、７０　マーカタブ、７２　マスクフレーム、７４　望遠視野レンズ。
【図１】
2004029793.tif 000003
【図２】
2004029793.tif 000004
【図３】
2004029793.tif 000005
【図４】
2004029793.tif 000006
【図５】
2004029793.tif 000007